(57)【要約】【課題】  ２枚の板２間に弾性を有するシール材１を挟んで、２枚の板２間に液体を供給することにより、シール材１の防水性を評価するシール材の評価方法であって、実際の使用状態に近い防水性の評価ができるシール材の評価方法を提供する。【解決手段】  シール材１として直線状のシール材１を用い、そのシール材１を直線状態で２枚の板２間に挟むと共に、シリコン樹脂４でシール材１の端面部分からの漏水を防止する防水処理を行い、２枚の板２間のシール材１の上面部分に液体を供給して、この液体のシール材１の下面部分への漏れ状況を測定することにより、防水性を評価する。【選択図】  図１
2005156322.tif 000002
【特許請求の範囲】
【請求項１】
２枚の板間に弾性を有するシール材を挟んで、２枚の板間に液体を供給することにより、シール材の防水性を評価するシール材の評価方法において、シール材として直線状のシール材を用い、そのシール材を直線状態で２枚の板間に挟むと共に、そのシール材の端面部分からの漏水を防止する防水処理を行い、２枚の板間のシール材の上面部分に液体を供給して、この液体のシール材の下面部分への漏れ状況を測定することにより、防水性を評価することを特徴とするシール材の評価方法。
【請求項２】
少なくとも一方の板に、その板の下端面に対して水平な線を設け、シール材をその線に沿って配置することを特徴とする請求項１記載のシール材の評価方法。
【請求項３】
防水性を評価するシール材と交差する方向に配設され、防水性を評価するシール材と同じ材質で同じ厚みの第２のシール材をも、２枚の板間に挟んで防水性を評価することを特徴とする請求項１又は請求項２記載のシール材の評価方法。
【請求項４】
シール材の下側部分に、液体が付着すると変色して、変色を保持する変色紙を配置して防水性を評価することを特徴とする請求項１から請求項３のいずれかに記載のシール材の評価方法。
【発明の詳細な説明】
【技術分野】
【０００１】
本発明は、成形材料等の隙間に圧縮状態にして配置することにより、材料間の防水性を向上させるのに用いる弾性を有するシール材の、防水性の評価方法に関するものである。
【背景技術】
【０００２】
従来より、ゴム、ウレタン等の弾性を有するシール材を、成形材料等の隙間に圧縮状態にして配置することにより、両方の材料に密着させて、材料間の防水性を向上させることが行なわれている。
【０００３】
このシール材は、圧縮状態で使用しても、長期間の防水性を保つ必要があるため、使用環境や、用途に応じて各種のものが使用されており、そのシール材の評価方法としては、従来以下のような方法が行なわれている。評価サンプルとしては、シール材を防水性を評価しやすい形状であるＵ字状に打ち抜くことにより評価サンプルを作成する。そしてこの評価サンプルを厚さ方向両側から２枚のアクリル樹脂板で挟むと共に、２枚のアクリル樹脂板間を貫通する螺子を用いてねじ止めする。そして、ねじ込み量を調整して２枚のアクリル樹脂板の間隔を調整することにより、評価サンプルの圧縮度を評価しようとする圧縮度になるように調整する。そしてＵ字状底部内面に所定の高さまで水を入れて、Ｕ字状底部外面から水が滲み出してくるまでの時間を測定することにより評価する方法が行なわれている（例えば、特許文献１参照）。
【０００４】
しかし、実際にシール材を使用する際にＵ字状のシール材を用いることは少なく、直線状のシール材を用いることが一般に行なわれている。そして、上記Ｕ字状の評価サンプルを評価した防水性の結果と、直線状のシール材を用いたときの実際の状況で多少差が生じる場合があるという問題があった。
【特許文献１】特開平８−２３１６６８号公報
【発明の開示】
【発明が解決しようとする課題】
【０００５】
本発明は、上記事情に鑑みてなされたもので、その目的とする所は、２枚の板間に弾性を有するシール材を挟んで、２枚の板間に液体を供給することにより、シール材の防水性を評価するシール材の評価方法であって、実際の使用状態に近い防水性の評価ができるシール材の評価方法を提供することにある。
【課題を解決するための手段】
【０００６】
上記課題を解決するために、本願発明は、２枚の板間に弾性を有するシール材を挟んで、２枚の板間に液体を供給することにより、シール材の防水性を評価するシール材の評価方法において、シール材として直線状のシール材を用い、そのシール材を直線状態で２枚の板間に挟むと共に、そのシール材の端面部分からの漏水を防止する防水処理を行い、２枚の板間のシール材の上面部分に液体を供給して、この液体のシール材の下面部分への漏れ状況を測定することにより、防水性を評価するものである。
【発明の効果】
【０００７】
本願発明のシール材の評価方法においては、直線状のシール材を用い、そのシール材を直線状態で２枚の板間に挟んで評価するため、実際の使用状態に近い形状のものを評価することができ、より有用性が高いデータを得ることが可能となる。
【発明を実施するための最良の形態】
【０００８】
以下、本発明のシール材の評価方法の実施の形態を図面に基づいて説明する。図１は、本発明に係るシール材の評価方法の一実施の形態を説明する図であり、（ａ）は上面図、（ｂ）は正面図である。図２は、本発明に係るシール材の評価方法の他の実施の形態を説明する正面図である。
【０００９】
本発明に係るシール材の評価方法の一実施の形態は、図１に示すように、評価サンプルとして、透明アクリル樹脂板２の幅と略同じ長さで、四角形の断面を有する直線状のシール材１を用いる。そしてこのシール材１を、防水性を評価するシール材１と同じ材質で同じ厚みの第２のシール材５と共に、厚さ方向両側から２枚の透明なアクリル樹脂板２で挟んだ後、２枚のアクリル樹脂板２間を貫通する4つの螺子３を用いてねじ止めする。なお、第２のシール材５は、アクリル樹脂板２の側面に近い場所であり、かつ、防水性を評価するシール材１に隣接した場所であって、防水性を評価するシール材１と交差する方向、好ましくは直交する方向に長く配設することにより、２枚のアクリル樹脂板２の間隔を、面内でほぼ均一にし、アクリル樹脂板２の反りや撓みを防止して精度が優れた評価ができるようになっている。
【００１０】
そして、螺子３のねじ込み量を調整して２枚のアクリル樹脂板２の間隔を調整することにより、防水性を評価するシール材１の圧縮度を評価しようとする圧縮度になるように調整する。次いで、防水性を評価するシール材１の端面部分と第２のシール材５の間の隙間をシリコン樹脂４で埋めて、アクリル樹脂板２の側面部分に配置されたシール材１の端面部分からの漏水が発生しないようにする。そして２枚のアクリル樹脂板２間のシール材１の上面部分に液体を供給して、この液体のシール材１の下面部分への液体漏れ状況を測定することにより、防水性を評価する。
【００１１】
このシール材１の下面部分への液体漏れ状況を測定する方法は、特に限定するものではなく、シール材１の下面部分のアクリル樹脂板２に水が滲み出して、液滴が生じるまでの時間を測定することにより評価する方法や、シール材の上側部分のアクリル樹脂板２に水位目盛りを形成しておき、所定の時間で水位が何ｍｍ低下するかを測定することにより評価する方法や、アクリル樹脂板２の底面の下の、シール材１の下側部分に、液体が付着すると変色して、変色を保持する変色紙を配置して防水性を評価する方法等が挙げられる。
【００１２】
シール材１の下面部分へ液体が一旦漏れた後、漏れが停止してしまう場合がある。このような場合、漏れた液体が蒸発してしまい、シール材１の下面部分のアクリル樹脂板２に液滴が生じることで評価する方法の場合、正確に評価できなくなる場合がある。また、連続的に漏れる場合であっても漏れ量が非常に少ない場合は、漏れた液体が蒸発してしまい、この評価方法の場合、正確に評価できなくなる場合がある。しかし、シール材の下側部分に、液体が付着すると変色して、変色を保持する変色紙を配置して防水性を評価する方法の場合、液体が蒸発した場合であっても、変色紙の変色は保持されているため、常時監視していなくても、液体の漏れを検出することができ好ましい。この変色紙は、アクリル板２の下端面の下に配置しても良く、シール材１の下側部分のアクリル樹脂板２の表面に貼り付けておいても良い。
【００１３】
この液体が付着すると変色して、変色を保持する変色紙としては、塩化コバルトを水に解かし、紙に含浸させさらに乾燥させたもの（例えば、東洋濾紙株式会社製、品名ＡＤＶＡＮＴＥＣ）等が挙げられる。
【００１４】
なお、図２に示すように、防水性を評価するシール材１と第２のシール材５を密着して配置することにより防水性を評価するシール材１の端面部分からの漏水を防止することが可能であれば、防水性を評価するシール材１の端面部分と第２のシール材５の間の隙間を、シリコン樹脂で埋めずに評価するようにしても良い。また、第２のシール材５に代えて、防水性を評価するシール材１と異なる材質の弾性体や、評価しようとするアクリル樹脂板２の間隔に合わせて形成した非弾性体を、２枚のアクリル樹脂板２間に挟んで評価するようにしても良い。
【００１５】
本発明で防水性を評価するシール材１としては、弾性変形して物質間の空間を埋めることが可能な、弾性を有する材料であれば特に限定するものではなく、ゴム、ウレタン等が挙げられ、発泡体、非発泡体どちらでも良い。そしてこれらの弾性を有する材料を用いて直線状に形成したものである。本発明は、この直線状のシール材１を用い、このシール材１を直線状態で２枚の板２間に挟んで評価するため、実際の使用状態に近い形状のものを評価することができ、より有用性が高いデータを得ることが可能となるものである。
【００１６】
このシール材１を挟む板２としては、平板状のものであれば、特に限定するものではないが、アクリル樹脂板のように透明な板２であれば、透明な板２を介して、シール材１の下面部分への液体漏れ状況を確認することができ好ましい。
【００１７】
なお、このシール材１を挟む板２のうち、少なくとも一方の板２に、その板２の下端面に対して水平な線を設けておき、シール材１をその線に沿って配置するようにすると、シール材１を板２に対して正確に水平に配置することが容易となり、シール材１の上面部分に供給する液体の偏りを防ぐことが容易となって、正確な防水性の評価を容易に行うことが可能となり好ましい。なおこのシール材１の上面部分に供給する液体としては、特に限定するものではないが、一般に水が用いられる。
【図面の簡単な説明】
【００１８】
【図１】本発明に係るシール材の評価方法の、一実施の形態を説明する図であり、（ａ）は上面図、（ｂ）は正面図である。
【図２】本発明に係るシール材の評価方法の、他の実施の形態を説明する正面図である。
【符号の説明】
【００１９】
１  シール材
２  アクリル樹脂板
３  螺子
４  シリコン樹脂
５  第２のシール材
【図１】
2005156322.tif 000003
【図２】
2005156322.tif 000004